(57)【特許請求の範囲】
【請求項１】
所定間隔で対向配置された平面形状が概略Ｌ形をなす２個のせき板（２）、（３）と、せき板（２）、（３）の間の底部を閉塞する底板（４）と、端部を閉塞する端板（５）、（６）を有し、これらせき板（２）、（３）、底板（４）及び端板（５）、（６）で囲まれたキャビティー内にコンクリートを充填するＬ形ブロックの型枠において、端板（５）がせき板（２）、（３）の間を水平方向に移動可能であり、端板（５）の背面側に設けられた反力部材（８）から、支持手段（９）が端板（５）に対して長さ調整可能に設けられ、支持手段（９）が所望の位置に移動した端板（５）を支持するものであり、前記移動可能である端板（５）の辺の部分の底板（４）を、端板（５）と同じ幅の底板移動部（４ａ）として底板（４）の他の部分と別体に形成し、かつ、端板（５）と底板移動部（４ａ）とが一体化され、共に移動するものであることを特徴とするＬ形ブロックの型枠。
【請求項２】
請求項１の型枠において、前記端板（５）が傾斜可能なように、端板（５）と前記底板移動部（４ａ）の結合部が回動可能であることを特徴とするＬ形ブロックの型枠。
【発明の詳細な説明】
【０００１】
【発明の属する技術分野】
本発明は、主に擁壁として使用されるＬ形のコンクリートブロックを、平面形状がＬ形となるように横倒しにした状態で製造する、Ｌ形ブロックの型枠に関する。
【０００２】
【従来の技術】
主に擁壁用として用いられるＬ形ブロックは、図８に示すように、壁板部２２と底板部２３により側面形状が概略Ｌ形に形成されている。このようなＬ形ブロックは、施工する場所によって、必要とされる壁板部の高さが異なる。すなわち、比較的低い擁壁として用いる場合には、鎖線Ａで示すような背の低いもの、傾斜地に用いる場合には、鎖線Ｂで示すように上部が斜めになっているブロックが求められる。しかし、これら多くの種類の型枠を全て作ることは困難であるので、一種類の型枠に簡単な改造を加え、背の低いブロックや上部が斜めのブロックを製造できるようにしている。
【０００３】
図９は従来の型枠３０の平面図、図１０は型枠３０のせき板３２ａを取り除いて示す側面図である。型枠３０は台３８の上に所定間隔隔てて対向配置された平面形状が概略Ｌ形をなす２個のせき板３１、３２と、その底部を閉塞する底板３３と、その端部を閉塞する端板３４、３５を有し、これらせき板３１、３２、底板３３及び端板３４、３５で囲まれた内部がキャビティーとなっている。キャビティーの上部は開口となっており、この開口からコンクリートを投入する。せき板３１、底板３３及び端板３４、３５は台３８に固定されているが、せき板３２はせき板３２ａ、３２ｂに分かれており、成形したブロックを脱型するときは、せき板３２ａを外側に引き出し、せき板３２ｂを蝶番３９により回動し、型開きする。ただし、型開きの態様はこれに限るものでなく、種々の方式がある。
【０００４】
背の低いブロックを成形するときは、図９、１０に示すように、補助端板３６を取り付ける。符号３７は補強材である。補助端板を斜めに取り付ければ上部が斜めになったブロックを製造できる。このような補助端板や補強材は溶接などでせき板３１、３４に固定されるのが一般的である。
【０００５】
【発明が解決しようとする課題】
従来の型枠は、高さの異なるブロックを製造するたびに補助端板や補強材を取り付ける改造を行わなければならないので、そのたびに時間とコストを要していた。また、一旦取り付けた補助端板や補強材は取り外さなければならないので、煩雑なばかりか、型枠本体に対し繰り返し溶接による取り付けや切断による取り外しを行うために、型枠本体が損傷し、精度が悪くなったり耐久性が低下するという問題があった。
【０００６】
本発明は、背の低いものや上部が斜めになったＬ形ブロックを容易に製造できる型枠を提供するためになされたものである。
【０００７】
【課題を解決するための手段】
本発明は、所定間隔で対向配置された平面形状が概略Ｌ形をなす２個のせき板２、３と、これらせき板２、３の間の底部を閉塞する底板４と、端部を閉塞する端板５、６を有し、これらせき板２、３、底板４及び端板５、６で囲まれたキャビティー内にコンクリートを充填するＬ形ブロックの型枠において、端板５がせき板２、３の間を水平方向に移動可能であり、端板５の背面側に設けられた反力部材８から、支持手段９が端板５に対して長さ調整可能に設けられ、支持手段９が所望の位置に移動した端板５を支持するものであり、前記移動可能である端板５の辺の部分の底板４を、端板５と同じ幅の底板移動部４ａとして底板４の他の部分と別体に形成し、かつ、端板５と底板移動部４ａとが一体化され、共に移動するものであることを特徴とするＬ形ブロックの型枠である。
【０００８】
本発明においては、端板が対向配置された２個のＬ形のせき板の間を水平方向に移動可能である。端板を内側方向に移動させると背の低いＬ形ブロックを、外側方向に移動させると背の高いＬ形ブロックを成形することができる。端板の背面側に反力部材を設け、反力部材から支持手段を端板に対して長さ調整可能に設け、支持手段が所望の位置に移動した端板を支持するので、端板はコンクリートの圧力に抗してしっかりと固定される。このような支持手段の例としては、金属パイプをミーリングチャックにより長さ調節するもの、ラックギアをピニオンギア、ストッパにより長さ調節するものなど、種々の機構を用いることができる。
【０００９】
移動可能である端板の辺の部分の底板を、端板と同じ幅の底板移動部として底板の他の部分と別体に形成し、さらに、端板と底板移動部を一体化して共に移動するように構成できる。このようにすることで端板と底板移動部の間からコンクリートが漏れるのを防止できる。また、端板と底板移動部の結合部が回動し、端板が傾斜可能なようにすると、上端が傾斜しているＬ形ブロックを成形することができる。端板と底板移動部の結合部にゴムや薄い金属板を装着しすることで、このようなことが可能となる。
【００１０】
【発明の実施の形態】
次ぎに、実施例を表した図面に基づいて、本発明を詳細に説明する。図１は実施例のＬ形ブロックの型枠１の平面図、図２は型枠１の型開き状態の平面図、図３は型枠１の端板５を内側に移動した状態の平面図、図４は型枠１のせき板３ａを取り外して示す側面図、図５は端板５を移動、傾斜した状態のせき板３ａを取り外して示す側面図、図６は図１のＸ−Ｘ線部分断面図、図７は端板５と底板移動部４ａの結合部の断面図である。なお、これらの図面では型枠の補強部材と締め付け部材をほとんど省略して表している。
【００１１】
型枠１は、台７、Ｌ形のせき板２、３、底板４、端板５、６を有する。台７上に固定されたせき板２は鉄板を概略Ｌ形に折り曲げて形成し、その一方の端部を更に折り曲げて端板６を形成している。せき板３ａ、３ｂからなるせき板３は組立状態ではＬ形をなしているが、脱型の時は、図２に示すように、せき板３ａは外側に引き出され、せき板３ｂは蝶番１３によって回動して型開きする。図６に示すように、せき板３ａは、下部に設けられた脚１２が台７に取り付けられた車輪１９に支持されているので、鎖線で示すように引き出し時や、実線で示す組み付け時に矢印方向に容易に移動させることができる。符号１５は台設けられた穴で、これに脚１２が挿通される。
【００１２】
端板５はせき板２、３の間を水平方向に移動可能となっている。移動しない状態を図１、移動した状態を図３に示す。端板５の側の辺の部分の底板は、端板５と同じ幅で、底板の他の部分と別体に形成された底板移動部４ａとなっており、端板５と底板移動部４ａは一体化されている。図６に示すように、底板移動部４ａは、台７上に設けられた車輪１４の上に支持されており、端板５と共に容易に水平方向に移動することができる。底板４の底板移動部４ａ以外の部分は台７に固定されている。
【００１３】
図７に示すように、端板５と底板移動部４ａの結合部にはゴム１６が装着され、端板５はゴム１６の弾性により自由に傾斜することができる。端板５から突出する突起１７が、底板移動部４ａに設けられたガイド片１８のガイド溝１８ａに係合し、ガイド溝１８ａに沿って移動することで、ゴム１６に過度の力が作用するのを防止している。結合部にゴムを用いた場合は、このような補強機構を設けることが望ましいが、補強機構としては種々のものが考えられ、実施例に限るものではない。
【００１４】
端板５の背面側には、柱状の反力部材８が台７の上に立設されている。反力部材８にはアーム１０が上下２箇所固定されている。アーム１０にはミーリングチャック１１が枢着されている。ミーリングチャック１１には支持手段（金属パイプ）９が挿通され、その先端部は端板５の背面に枢着されている。ミーリングチャック１１は、操作リングを回すことで、挿通されている金属パイプが緩んで摺動自在となったり、締め付けられて固定状態になる周知の機構である。ミーリングチャック１１を緩めると、端板５及び底板移動部４ａが移動可能となるので、図５に示すようにこれらを任意の位置に移動し、また、必要に応じて端板５を傾斜させることができる。しかる後、ミーリングチャック１１を締め付けて固定すると、端板５及び底板移動部４ａは支持手段９に支持されて完全に固定されるから、成形するブロックの精度はきわめてよいものとなる。このように、端板５及び底板移動部４ａを所望の位置に移動し、端板５を所望の角度で傾斜させ、固定することができるので、所望の高さのブロックや、上部が所望の角度で傾斜したブロックを容易に成形することができる。
【００１５】
支持手段９は上下に２箇所設けられているので、端板５を任意の角度で傾斜させて固定することができる。
【００１６】
例えば、図５に示すように移動・傾斜した状態に端板５をセットし、せき板３ａ、３ｂを締め付けて（締付装置は図示せず）組み付け状態とし、コンクリートを充填し、硬化させる。硬化後に図２に示すように、せき板３ａを引き出し、せき板３ｂを回動して型開きし、成形したＬ形ブロックを取り出す。このようにして成形されたＬ形ブロックは、図８に鎖線Ｂで示すように、上部が斜めになったものとなっている。
【００１７】
【発明の効果】
本発明のＬ形ブロック型枠は、端板が移動するので、任意の高さのブロックの成形を精度良く容易に行うことができる。また、端板を傾斜可能なように端板と底板移動部の結合部が回動する構成にすると、上部が斜めとなっているＬ形ブロックも容易に成形することができる。その際、溶接などによって改造する必要がないので、精度が悪くなったり耐久性がなくなるという問題もない。
【図面の簡単な説明】
【図１】実施例のＬ形ブロックの型枠１の平面図である。
【図２】型枠１の型開き状態の平面図である。
【図３】型枠１の端板５を内側に移動した状態の平面図である。
【図４】型枠１のせき板３ａを取り外して示す側面図である。
【図５】端板５を移動、傾斜した状態をせき板３ａを取り外して示す型枠１の側面図である
【図６】図１のＸ−Ｘ線部分断面図である。
【図７】端板５と底板移動部４ａの結合部の断面図である。
【図８】Ｌ形ブロックの斜視図である。
【図９】従来の型枠３０の平面図である。
【図１０】型枠３０のせき板３２ａを取り除いた状態の側面図である。
【符号の説明】
１  型枠
２  せき板
３  せき板
４  底板
４ａ  底板移動部
５  端板
６  端板
７  台
８  反力部材
９  支持手段
１０  アーム
１１  ミーリングチャック
１２  脚
１３  蝶番
１４  車輪
１５  穴
１６  ゴム
１７  突起
１８  ガイド片
１９  車輪
２１  Ｌ形ブロック
２２  壁板部
２３  底板部
３０  型枠
３１  せき板
３２  せき板
３３  底板
３４  端板
３５  端板
３６  補助端板
３７  補強材
３８  台
３９  蝶番
【図１】
0003781096.tif 000002
【図２】
0003781096.tif 000003
【図３】
0003781096.tif 000004
【図４】
0003781096.tif 000005
【図５】
0003781096.tif 000006
【図６】
0003781096.tif 000007
【図７】
0003781096.tif 000008
【図８】
0003781096.tif 000009
【図９】
0003781096.tif 000010
【図１０】
0003781096.tif 000011